(57)【要約】      （修正有）【課題】背髓活性治療器具に関し、磁石又はプリント加工したものを患部に密着して配置して、周囲の血行を良くし、筋肉のコリをほぐし、痛みや苦しみを柔らげる、楽に正座ができ、出来立居振る舞や歩行時や激しい運動時に磁石、又はプリント加工が患部に密着している背髓活性治療器具を提供する。【解決手段】磁石を使用した背髓活性治療器具は、革に複数の穴を開け、該穴に永久磁石を接着し、磁石を接着した底辺に革を１枚接着し、柔らかい布で包み、布で包んだ底辺に更に布を１枚接着し、本体の処定の位置に接着して構成する。チタン、ゲルマニーム、ケイ素などのプリント加工したものをも使用した背髓活性治療器具は、永久磁石に代えてプリント加工したものをも使用した構成とする。【選択図】図１
2008018219.tif 000002
【特許請求の範囲】
【請求項２】
磁石背髓活性治療器具。出願番号２００５−１１１２３７。出願人５００２１５６３２。平成１５年１０月１０日付にて提出致しましたが。本体に使用致します生地名、特殊加工ゴム市販名ユーカスと称しますと、各部署に数字を記入してありますので。生地名を変えたり各部署数字を少し変えるだけで直似をされるので不可との決論に達しました。誠に大変なお手数相掛け申訳無いのですが、出願番号２００５−１１１２３７。全文全項目削除して下さるようにお願い申し上げる次第にご座います。尚ほ図３、の永久磁石、又はチタン、ゲルマニーム、ケイ素などのプリント加工したものを使用致し。多方面に利用出来るように考慮致しまして、再提出致します。以下磁石、又はプリント加工と称します。
図１、本体に使用する生地は、肌に優しく柔らかく温かく長期間に度って装着していても、肌が変質することのない強靭な生地を使用致します、図１、の如く抜き取ります。図２、前たてを使用し前カンを利用致しますが、前カンの受け金は複数備える、図３、磁石、又はプリント加工。
【請求項１】
磁石を使用する場合。図４、革に使用する磁石の寸方より少し小さい穴を複数空ける、図５、は図４、の革に小さい穴を空けた複数に磁石を接着する。図６、は図５、の革に磁石を接着した底辺に更らに革を１枚接着する。図７、は図６、を肌に優しい柔らかい丈夫な布で包み接着する。図８、は図７、の布で包んだ底辺に更らに布を１枚接着したのち、図１、の本体の処定の位置に接着する。
【請求項２】
プリント加工を使用する場合。図１、の如く抜き取りみつ折りはしミシンとする、図２、の前たてを使用し、体の前部腹に当たる部分には、前たてと同じ生地を使用致します、図９、の前カンを利用し受け金を複数備える。図１０、マジックテープ（イ）。
以上のような構造のためこれを装着することにより、磁石、又はプリント加工により、背髓の周囲の血行を良くして筋肉のコリをほぐしますので、痛みや苦しみを柔らげると同時に、背髓活性治療だけに滯まらず、腰痛、肩コリ、パソコン疲れをも癒してくれます。尚ほ正座したり立居振る舞い歩行時や激しい運動時にも、磁石、又はプリント加工が患部に密着しているので違和感を覚えることもなく、その効果は大なるものがあります。
【発明の詳細な説明】
【枝術分野】
【００５０】  この発明は背髓の欠陥にて悩み苦しんで居られる人々に手軽るに患部に装着することに於て、周囲の血行を良くして筋肉のコリをほぐしてくれます。尚ほ背髓の活性を計ると同時に、腰痛、肩コリ、パソコン疲れ等も癒してくれますので、大いなる効果を上げることが出来ます。
尚ほ図３、の永久磁石、又はチタン、ゲルマニーム、ケイ素などのプリント加工したものをも使用致しまして、多方面に活用出来るように考慮致しまして再提出致します。以下磁石、又はプリント加工と称します。
図１、本体に使用する生地は、肌に優しく柔らかく温かく長期間に渡って装着していても、肌が変質することのない強靭な生地を使用致します。
【背景技術】
【００５１】  磁石、又はプリント加工による、背髓活性治療器具は、画期的な発想によって生み出された発明と自負しております。類似品も出回っていないことと存じますので比較することが出来ないのです。
【発明の解示】
【発明が解決しようとする課題】
【００５２】  本発明は、本体に磁石、又はプリント加工したものを、背髓に装着することにより、周囲の血行を良くして筋肉のコリをほぐすことにより、大いなる効果を上げることが出来ますので、背髓活性治療だけに滯まらず、腰痛、肩コリ、パソコン疲れをも癒してくれます、尚ほ立居振る舞い歩行時や激しい運動時にも、磁石、又はプリント加工が患部に密着しているので違和感を覚えることもなく。その効果は大なるものとなります。
【課題を解決するための手段】
【００５３】
【請求項１】
いまその課題を図面に追いながら説明すれば。
磁石を使用する場合。図１、本体に使用する生地は、肌に優しく柔らかく温かく長期に渡って装着していても、肌が変質することのない強靭な生地を使用致します、図２、前たてを使用致します、図３、磁石、又はプリント加工。
磁石を使用する場合は、図４、革に使用する磁石の寸方より少し小さい穴を空ける。図５、は図４、の革に穴を空けたものに磁石を接着する。図６、は図５、の磁石を接着した革の底辺に更らに革を１枚接着する。図７、は図６、を肌に優しい温かい丈夫な布で包み接着する。図８、は図７、の布で包み接着した底辺に更らに布を１枚接着したのち、図１、の処定の位置に接着する。図９、の前カンの受け金は複数備える。図１０、マジックテープ（イ）。
【請求項２】
プリント加工を使用する場合。図１、の如く抜き取るみつ折りはしミシンとする。図２、の前たてを使用し、体の前部膓の部分には、前たてと同じ生地を使用致します。図９、前カンを利用するも受け金は複数とする。図１０、マジックテープ（イ）。
以上のような構造のためこれを装着することにより、磁石、又はプリント加工により、背髓の周囲の血行を良くして筋肉のコリをほぐしますので、痛みや苦しみを柔らげると同時に、背髓活性治療だけに滯まらず、腰痛、肩コリ、パソコン疲れを癒してくれます。尚ほ正座したり立居振る舞い歩行時や激しい運動時にも、プリント加工が患部に密着しているので、違和感を覚えることもなくその効果は大なるものがあります。
【発明の効果】
【００５４】  本発明は以上のような構造であるから、これを装着することにより、磁石、又はプリント加工により、背髓の周囲の血行を良くしで筋肉のコリをほぐしますので、痛みや苦しみを柔らげると同時に、背髓活性治療だけに滯まらず、腰痛、肩コリ、パソコン疲れをも癒してくれます、尚ほ正座したり立居振る舞い歩行時や激しい運動時にも、磁石、又はプリント加工が患部に密着しているので違和感を覚えることなく、その効果は大なるものがあります。
【発明を実施するための最良の型態】
【００５５】
【請求項１】
図１、本体に使用する生地は、肌に優しく柔らかく温かく長期間に渡って装着していても、肌が変質することのない強靭な生地を使致します。図２、前たてを使用致します。図３、磁石、又はプリント加工。
磁石を使用する場合は。図４、革に使用する磁石の寸方より少し小さな穴を空ける。図５、は図４、の革に穴を空けたものに磁石を接着する。図６、は図５、の磁石を接着した革の底辺に更らに革を１枚接着する。図７、は図６、を肌に優しい温かい丈夫な布で包み接着する。図８、は図７、の布で包み接着した底辺に更らに布を１枚接着したのち。図１、の処定の位置に接着する。図９、の前カンの受け金は複数備える。図１０、マジックテープ（イ）。
【請求項２】
プリント加工を使用する場合。図１、の如く抜き取りみつ折りはしミシンとする。図２、の前たてを使用し、体の前部腹の部分には、前たてと同じ生地を使用致します。図９、前カンを利用するも受け金は複数とする。図１０、マジックテープ（イ）。
以上のような構造のためこれを装着することにより、磁石、又はプリント加工により、背髓の周囲の血行を良くして筋肉のコリをほぐしますので、痛みや苦しみを柔らげると同時に、背髓活性治療だけに滯まらず、腰痛、肩コリ、パソコン疲れを癒してくれます。尚ほ正座したり立居振る舞い歩行時や激しい運動時にも、磁石、又はプリント加工が患部に密着しているので違和感を覚えることもなく、その効果は大なるものがあります。
【実施例１】
【００５６】  磁石、又はプリント加工を使用致しました。背髓活性治療器具の開発は画期的な発想によって生み出された発明と自負しております。図１、本体に使用致します生地は。肌に優しく柔らかく長期間に渡って装着していても、肌が変質することのない強靭な生地を使用致します。図２、前たてを使用致します。図３、磁石、又はプリント加工したものを使用致しますが。この器具は背髓活性治療だけに滯まらず、腰痛、肩コリ、パソコン疲れをも癒してくれます。多方面に渡って活用出来るように考慮致しました。尚ほ激しい運動時にも、磁石、又はプリント加が患部に密着しているので違和感を覚えることもなく。その効果は大なるものとなります。
【図面の簡単な説明】
【００５７】
【請求項１】
【図１】
磁石を使用の場合。本発明の正面図。
【図２】
前たてを使用致します。
【図３】
磁石、又はプリント加工。
【図４】
革に使用する磁石の寸方より、少し小さい穴を複数空ける。
【図５】
は図４、の少し小さい穴を複数空けた革に磁石を接着する。
【図６】
は図５、の底辺に更らに革を１枚接着する。
【図７】
は図６、を肌に優しい温かい丈夫な布で包み接着する。
【図８】
は図７、の底辺に更らに布を一枚接着する。
【図９】
前カンを利用致しますが受け金は複数備える。
【図１０】
マジックテープ（イ）
【請求項２】
【図１】
プリント加工使用の場合、図１、如く抜き取り、みつ折りはしミシンとする。
【図２】
前たてを使用致します、体の前部腹部には前たてと同じ生地を使用致します。
【図９】
前カンを利用するも受け金は複数とする。
【図１０】
マジックテープ（イ）
【符号の説明】
【００５８】
【請求項１】
１    磁石使用の場合、本発明の正面図。
２    前たては使用致します。
３    磁石
４    革に使用する磁石の寸方より、少し小さい穴を複数空ける。
５    は図４、に磁石を接着する。
６    は図５、の底辺に更らに革を１枚接着する
７    は図６、を肌に優しい温かい丈夫な布で包み接着する。
８    は図７、の底辺に更らに布を１枚接着する。
９    前カンを利用します受け金は複数備える。
１０  マジックテープ（イ）
【請求項２】
１    プリント加工使用の場合、図１、の如く抜き取り、みつ折はしミシンとする。
２    前たてを使用致します、体の前部腹の部分には前たてと同じ生地を使用致します。
９    前カンを利用するも受け金は複数とする。
１０  マジックテープ（イ）。
【図１】
2008018219.tif 000003
【図２】
2008018219.tif 000004
【図３】
2008018219.tif 000005
【図４】
2008018219.tif 000006
【図５】
2008018219.tif 000007
【図６】
2008018219.tif 000008
【図７】
2008018219.tif 000009
【図８】
2008018219.tif 000010
【図９】
2008018219.tif 000011
【図１０】
2008018219.tif 000012
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
磁石背髄活性治療器具。出願番号２００５−１１１２３７。出願人５００２１５６３２。平成１５年１０月１０日付にて提出致しましたが。本体に使用致します生地名。特殊加工ゴム市販名ユーカスと称しますと、各部署に数字を記入してありますので。生地名を変えたり各部署の数字を少し変えるだけで直似をされるので不可との決論に達しました。誠に大変なお手数相掛け申訳無いのですが、出願番号２００５−１１１２３７。全文全項目削除して下さるようにお願い申し上げる次第にご座います。尚ほ図３、の永久磁石、又はチタン、ゲルマニーム、ケイ素などのプリント加工したものを使用致し、多方面に利用出来るように考慮致しまして、再提出致します。以下磁石、又はプリント加工と称します。図１、平面図、背に当てる部分、本体に使用する生地は、肌に優しく柔らかく温かく長期間に渡って装着していても、肌が変質することのない強靭な生地を使用致します。図１、の如く抜き取ります。図２、立面図、人体前面図で背の器具を支える部分です、前たてを使用し前カンを利用致しますが、前カンの受け金は複数備える、図３、磁石、又はプリント加工。  磁石を使用する場合。図４、革に使用する磁石の寸方より少し小さい穴を複数空ける、図５、は図４、の革に小さい穴を空けた複数に磁石を接着する。図６、は図５、の革に磁石を接着した底辺に更らに革を１枚接着する。図７、は図６、を肌に優しい柔らかい丈夫な布で包み接着する。図８、は図７、の布で包んだ底辺に更らに布を１枚接着したのち、図１、の本体の処定の位置に接着する。
【請求項２】
プリント加工を使用する場合。図１、平面図の如く抜き取りみつ折りはしミシンとする。図２、の立面図、の前たてを使用し、体の前部腹に当たる部分には、前たてと同じ生地を使用致します、図９、の前カンを利用し受け金を複数備える。図１０、マジックテープ、（イ）  以上のような構造のためこれを装着することにより、磁石、又はプリント加工により、背髄の周囲の血行を良くして、筋肉のコリをほぐしますので、痛みや苦しみを柔らげると同時に、背髄活性治療だけに滯まらず。腰痛、肩コリ、パソコン疲れをも癒してくれます。尚ほ正座したり立居振舞い歩行時や激しい運動時にも、磁石、又はプリント加工が患部に密着しているので違和感を覚えることもなく、その効果は大なるものがあります。
【手続補正２】
【補正対象書類名】明細書
【補正対象項目名】全文
【補正方法】変更
【補正の内容】
【書類名】明細書    【発明の名称】磁石。又はプリント加工。を使用した背髄活性治療器具。    【枝術分野】    【００５０】  この発明は背髄の欠陥にて悩み苦しんで居られる人々に手軽るに患部に装着することに於て、周囲の血行を良くして筋肉のコリをほぐしてくれます。尚ほ背髄の活性を計ると同時に、腰痛、肩コリ、パソコン疲れ等も癒してくれますので、大いなる効果を上げることが出来ます。尚ほ図３、の永久磁石、又はチタン、ゲルマニーム、ケイ素などのプリント加工したものをも使用致しまして、多方面に活用出来るように考慮致しまして再提出致します。以下磁石、又はプリント加工と称します。図１、本体に使用する生地は、肌に優しく柔らかく温かく長期間に渡って装着していても、肌が変質することのない強靭な生地を使用致します。    【背景枝術】    【００５１】  磁石、又はプリント加工による、背髄活性治療器具は、画期的な発想によって生み出された発明と自負しております。類似品も出回っていないことと存じますので比較することが出来ないのです。    【発明の解示】    【発明が解決しようとする課題】    【００５２】  本発明は、本体に磁石、又はプリント加工したものを、背髄に装着することにより、周囲の血行を良くして筋肉のコリをほぐすことにより、大いなる効果を上げることが出来ますので、背髄活性治療だけに滯まらず、腰痛、肩コリ、パソコン疲れをも癒してくれます、尚ほ立居振る舞い歩行時や激しい運動時にも、磁石、又はプリント加工が患部に密着しているので違和感を覚えることもなく。その効果は大なるものとなります。    【課題を解決するための手段】    【００５３】    【請求項１】  いまその課題を図面に追いながら説明すれは。2008018219.tif 000013
磁石を使用する場合。本体に使用する生地は、肌に優しく柔らかく温かく長期に渡って装着していても、肌が変質することのない強靭な生地を使用致します。2008018219.tif 000014
前たてを使用致します。図３、磁石、又はプリント加工。磁石を使用する場合は、図４、革に使用する磁石の寸方より少し小さい穴を空ける。図５、は図４、の革に穴を空けたものに磁石を接着する。図６、は図５、の磁石を接着した革の底辺に更らに革を１枚接着する。図７、は図６、を肌に優しい温かい丈夫な布で包み接着する。図８、は図７、の布で包み接着した底辺に更らに布を１枚接着したのち、図１、の処定の位置に接着する。図９、前カンの受け金は複数備える。図１０、マジックテープ（イ）。    【請求項２】2008018219.tif 000015
図１、平面図の如く抜き取る、みつ折りはしミシントする、図２、立面図人体前2008018219.tif 000016
は、前たてと同じ生地を使用致します、図９。前カンを利用するも受け金は複数とする。図１０、マジックテープ（イ）。以上のような構造のためこれを装着することにより、磁石、又はプリント加工により、背髄の周囲の血行を良くして、筋肉のコリをほぐしますので、痛みや苦しみを柔らげると同時に、背髄活性治療だけに滯まらず、腰痛、肩コリ、パソコン疲れを癒してくれます。尚ほ正座をしたり立居振る舞い歩行時や激しい運動時にも、磁石や、プリント加工が患部に密着しているので、違和感を覚えることもなく、その効果は大なるものがあります。    【発明の効果】    【００５４】  本発明は以上にような構造であるから、これを装着することにより、磁石、又はプリント加工により、背髄の周囲の血行を良くして筋肉のコリをほぐしますので、痛みや苦しみを柔らげると同時に、背髄活性治療だけに滯まらず。腰痛、肩コリ、パソコン疲れをも癒してくれます、尚ほ正座をしたり立居振る舞い歩行時や激しい運動時にも、磁石、又はプリント加工が患部に密着しているので違和感を覚えることもなく、その効果は大なるものがあります。    【発明を実施するための最良の型態】    【００５５】    【請求項１】2008018219.tif 000017
磁石を使用する場合。本体に使用する生地は、肌に優しく柔らかく温かく長期間に渡って装着していても、肌が変質することのない強靭な生地を使用致します、2008018219.tif 000018
前たてを使用致します。図３、磁石、図４、革に使用する磁石の寸方より少し小さな穴を空ける。図５、は図４、の革に穴を空けたものに磁石を接着する。図６、は図５、の磁石を接着した革の底に更らに革を１枚接着する、図７、は図６、を肌に優しい温かい丈夫な布で包み接着する。図８、は図７、の布で包み接着した底辺に更らに布を１枚接着したのち。図１、の処定の位置に接着する。図９、の前カンの受け金は複数備える。図１０、マジックテープ（イ）。    【請求項２】2008018219.tif 000019
プリント加工を使用する場合。図１、の如く抜き取りみつ折りはしミシンとする。図２、の前たてを使用し、体の前部腹の部分には、前たてと同じ生地を使用致します。図９、前カンを利用するも受け金は複数とする。図１０、マジックテープ（イ）。以上のような構造のためこれを装着することにより、磁石、又はプリント加工により、背髄の周囲の血行を良くして、筋肉のコリをほぐしますので、痛みや苦しみを柔らげると同時に、背髄活性治療だけに滯まらず、腰痛、肩コリ、パソコン疲れを癒してくれます。尚ほ正座したり立居振る舞い歩行時や激しい運動時にも、磁石、又はプリント加工が患部に密着しているので違和感を覚えることもなく、その効果は大なるものがあります。    【実施例１】    【００５６】  磁石、又はプリント加工を使用致しました。背髄活性治療器具の開発は画期的な発想によって生み出された発明と自負しております。図１、平面図背に当る部分。本体に使用致します生地は、肌に優しく柔らかく長期間に渡って装着していても、肌が変質することのない強靭な生地を使用致します。図２、立面図人体前部で背の器具を支える部分です。前たてを使用致します。図３、磁石、又はプリント加工したものを使用致しますが。この器具は背髄活性治療だけに滯まらず。腰痛、肩コリ、パソコン疲れをも癒してくれます。多方面に渡って活用出来るように考慮致しました。尚ほ激しい運動時にも、磁石、又はプリント加工が患部に密着しているので違和感を覚えることもなく。その効果は大いなるものとなります。    【図面の簡単な説明】    【００５７】    【図１】平面図、背に当てる部分。磁石を使用の場合。    【図２】立面図、人体前部で背の器具を支える部分です。    【図３】磁石、又はプリント加工。    【図４】革に使用する磁石の寸方より、少し小さい穴を複数空ける。    【図５】は図４、の少し小さい穴を複数空けた革に磁石を接着する。    【図６】は図５、の底辺に更らに革を１枚接着する。    【図７】は図６、を肌に優しい温かい丈夫な布で包み接着する。    【図８】は図７、の底辺に更らに布を１枚接着する。     【符号の説明】    【００５８】    【請求項１】１    平面図、背に当てる部分。磁石を使用の場合。２    立面図、人体前部で背の器具を支える部分です。３    磁石、又はプリント加工。４    革に使用する磁石の寸方より、少し小さい穴を複数空ける。５    は図４、の少し小さい穴を複数空けた革に磁石を接着する。６    は図５、の底辺に更らに革を１枚接着する。７    は図６、の肌に優しい温かい丈夫な布で包み接着する。８    は図７、の底辺に更らに布を１枚接着する。    【請求項２】１    平面図、背に当てる部分。プリント加工使用の場合。図１、の如く抜き取り、みつ折りはしミシンとする。２    立面図、人体前部で背の器具を支える部分です。前たてを使用致します、人体の前部腹部には前たてと同じ生地を使用致します。【手続補正３】
【補正対象書類名】図面
【補正対象項目名】全図
【補正方法】変更
【補正の内容】
【図１】
2008018219.tif 000020
【図２】
2008018219.tif 000021
【図３】
2008018219.tif 000022
【図４】
2008018219.tif 000023
【図５】
2008018219.tif 000024
【図６】
2008018219.tif 000025
【図７】
2008018219.tif 000026
【図８】
2008018219.tif 000027